(57)【要約】【課題】クランプ部材の耐摩耗性の向上を図り、クランプ外れをなくし、低価格化を図り、光ファイバの表面に傷を付けることを防止する。【解決手段】光ファイバ把持装置９は、光ファイバ３どうしを突合わせ部で突き合わせるべく前記各光ファイバ３を把持台１９と把持体２１との間で把持するものである。前記把持台１９は光ファイバ３を載置する際に前記光ファイバ３の頂部を突出せしめるＶ溝深さを有するＶ溝部２３を備える。前記把持体２１は前記Ｖ溝部２３に載置された光ファイバ３の頂部を押さえて把持すべく前記光ファイバ３の軸線方向とほぼ直交方向に延伸した一本又は複数本の突起部２７を備える。光ファイバ３がクランプ台のＶ溝部２３にセットされるとき、突起部２７と光ファイバ３との接触面積が少ないため、摩擦が少なくなり、光ファイバ３の表面が傷付けられないようになる。【選択図】      図１
2004279666.tif 000002
【特許請求の範囲】
【請求項１】
光ファイバを把持台と把持体との間で把持する光ファイバ把持装置において、
前記把持台は光ファイバを載置する際に前記光ファイバの頂部を突出せしめるＶ溝深さを有するＶ溝部を備えると共に、前記把持体は前記Ｖ溝部に載置された光ファイバの頂部を押さえて把持すべく前記光ファイバの軸線方向とほぼ直交方向に延伸した一本又は複数本の突起部を備えてなることを特徴とする光ファイバ把持装置。
【請求項２】
前記把持体が樹脂製で、この把持体の突起部が円柱又は角柱をなす金属製又はセラミック製で構成してなることを特徴とする請求項１記載の光ファイバ把持装置。
【請求項３】
光ファイバどうしを突合わせ部で突き合わせるべく前記光ファイバを把持台と把持体との間で把持する光ファイバ把持装置において、
前記把持台は、光ファイバを載置する際に前記光ファイバの頂部を突出せしめるＶ溝深さを有する第１Ｖ溝部と、前記光ファイバの頂部が突出しないＶ溝深さを有する第２Ｖ溝部と、を備えると共に、前記把持体は、前記第１Ｖ溝部に載置された光ファイバの頂部を押さえて把持すべくほぼ平面形状をなすクランプ部と、前記第２Ｖ溝部に嵌合するガイド部と、このガイド部の底面を前記光ファイバの頂部に接触しないようにした非接触部と、を備えてなることを特徴とする光ファイバ把持装置。
【請求項４】
前記把持体のクランプ部に、前記第１Ｖ溝部に載置された光ファイバの頂部を押さえて把持すべく前記光ファイバの軸線方向とほぼ直交方向に延伸した一本又は複数本の突起部を備えてなることを特徴とする請求項３記載の光ファイバ把持装置。
【請求項５】
前記把持体が樹脂製で、この把持体の突起部が円柱又は角柱をなす金属製又はセラミック製で構成してなることを特徴とする請求項４記載の光ファイバ把持装置。
【請求項６】
光ファイバどうしを突合わせ部で突き合わせるべく前記各光ファイバを把持台と把持体との間で把持する光ファイバ把持装置を前記突合わせ部の左右に備えた光ファイバ突合わせ装置において、
前記把持台は光ファイバを載置する際に前記光ファイバの頂部を突出せしめるＶ溝深さを有するＶ溝部を備えると共に、前記把持体は前記Ｖ溝部に載置された光ファイバの頂部を押さえて把持すべく前記光ファイバの軸線方向とほぼ直交方向に延伸した一本又は複数本の突起部を備えてなることを特徴とする光ファイバ突合わせ装置。
【請求項７】
前記把持体が樹脂製で、この把持体の突起部が円柱又は角柱をなす金属製又はセラミック製で構成してなることを特徴とする請求項６記載の光ファイバ突合わせ装置。
【請求項８】
光ファイバどうしを突合わせ部で突き合わせるべく前記各光ファイバを把持台と把持体との間で把持する光ファイバ把持装置を前記突合わせ部の左右に備えた光ファイバ突合わせ装置において、
前記把持台は、光ファイバを載置する際に前記光ファイバの頂部を突出せしめるＶ溝深さを有する第１Ｖ溝部と、前記光ファイバの頂部が突出しないＶ溝深さを有する第２Ｖ溝部と、を備えると共に、前記把持体は、前記第１Ｖ溝部に載置された光ファイバの頂部を押さえて把持すべくほぼ平面形状をなすクランプ部と、前記第２Ｖ溝部に嵌合するガイド部と、このガイド部の底面を前記光ファイバの頂部に接触しないようにした非接触部と、を備えてなることを特徴とする光ファイバ突合わせ装置。
【請求項９】
前記把持体のクランプ部に、前記第１Ｖ溝部に載置された光ファイバの頂部を押さえて把持すべく前記光ファイバの軸線方向とほぼ直交方向に延伸した一本又は複数本の突起部を備えてなることを特徴とする請求項８記載の光ファイバ突合わせ装置。
【請求項１０】
前記把持体が樹脂製で、この把持体の突起部が円柱又は角柱をなす金属製又はセラミック製で構成してなることを特徴とする請求項９記載の光ファイバ突合わせ装置。
【請求項１１】
光ファイバどうしを突合わせ部で突き合わせるべく前記各光ファイバを把持台と把持体との間で把持する光ファイバ把持装置を前記突合わせ部の左右に備え、前記突合わせ部の光ファイバどうしを融着接続する光ファイバ融着接続装置において、
前記把持台は光ファイバを載置する際に前記光ファイバの頂部を突出せしめるＶ溝深さを有するＶ溝部を備えると共に、前記把持体は前記Ｖ溝部に載置された光ファイバの頂部を押さえて把持すべく前記光ファイバの軸線方向とほぼ直交方向に延伸した一本又は複数本の突起部を備えてなることを特徴とする光ファイバ融着接続装置。
【請求項１２】
前記把持体が樹脂製で、この把持体の突起部が円柱又は角柱をなす金属製又はセラミック製で構成してなることを特徴とする請求項１１記載の光ファイバ融着接続装置。
【請求項１３】
光ファイバどうしを突合わせ部で突き合わせるべく前記光ファイバを把持台と把持体との間で把持する光ファイバ把持装置において、
前記把持台は、光ファイバを載置する際に前記光ファイバの頂部を突出せしめるＶ溝深さを有する第１Ｖ溝部と、前記光ファイバの頂部が突出しないＶ溝深さを有する第２Ｖ溝部と、を備えると共に、前記把持体は、前記第１Ｖ溝部に載置された光ファイバの頂部を押さえて把持すべくほぼ平面形状をなすクランプ部と、前記第２Ｖ溝部に嵌合するガイド部と、このガイド部の底面を前記光ファイバの頂部に接触しないようにした非接触部と、を備えてなることを特徴とする光ファイバ融着接続装置。
【請求項１４】
前記把持体のクランプ部に、前記第１Ｖ溝部に載置された光ファイバの頂部を押さえて把持すべく前記光ファイバの軸線方向とほぼ直交方向に延伸した一本又は複数本の突起部を備えてなることを特徴とする請求項１３記載の光ファイバ融着接続装置。
【請求項１５】
前記把持体が樹脂製で、この把持体の突起部が円柱又は角柱をなす金属製又はセラミック製で構成してなることを特徴とする請求項１４記載の光ファイバ融着接続装置。
【発明の詳細な説明】
【０００１】
【発明の属する技術分野】
この発明は、光ファイバの軸合わせや接続を行うために、光ファイバどうしを突合わせて把持する光ファイバ把持装置及び前記光ファイバ把持装置を備えた光ファイバ突合わせ装置、並びに前記光ファイバ把持装置を備えた光ファイバ融着接続装置に関する。
【０００２】
【従来の技術】
従来、光ファイバどうしを突合わせて把持する光ファイバ把持装置は、光ファイバ突合わせ装置（光ファイバ軸合わせ装置）や光ファイバ融着接続装置などに用いられる。例えば図１１に示されている光ファイバ融着接続装置１０１において、光ファイバ１０３の被覆部を把持固定する機構としての光ファイバ把持装置１０５が突合わせ部１０７に対して作業者側から視て左右両側に備えられており、突合わせ部１０７の光ファイバ１０３の軸線方向に対して直交方向の前後に光ファイバ１０３どうしを融着接続するための放電電極１０９が備えられている。
【０００３】
また、光ファイバ融着接続装置１０１には、表示モニタ（図示省略）が装置本体１１１の手前側または背面側に配置されたものや、融着接続部（突合わせ部１０７）の風防カバー１１３が手前または奥へ開くようにしたものがある。
【０００４】
なお、光ファイバ突合わせ装置（光ファイバ軸合わせ装置）は上記の放電電極１０９が備えられておらず、単に光ファイバ１０３どうしの軸合わせを行うための装置である。
【０００５】
前記光ファイバ把持装置１０５としては、例えば図１２（Ａ）に示されているようにクランプ台１１５が装置本体１１１に固定され、光ファイバ１０３の被覆部が前記クランプ台１１５の上面に設けられたＶ溝部１１７に載置され、光ファイバ１０３の頂部がクランプ部材１１９により押さえられる。上記のＶ溝部１１７は光ファイバ１０３の頂部がＶ溝部１１７の上面より上に突出しないＶ溝深さを有しており、クランプ部材１１９は上記のＶ溝部１１７に嵌合する傾斜面１２１を有しており、クランプ部材１１９の下部には光ファイバ１０３の頂部に接触する形状の突起部１２３が設けられている。なお、クランプ部材１１９は光ファイバ１０３を傷付けないようにするために、通常は樹脂製である（例えば、特許文献１参照。）。
【０００６】
図１３を参照するに、他の従来例の光ファイバ把持装置１２５（前述した光ファイバ把持装置１０５に替わるもの）としては、クランプ台１２７の上面に光ファイバ１０３を載置する第１Ｖ溝部１２９と第２Ｖ溝部１３１が設けられている。前記第１Ｖ溝部１２９は光ファイバ１０３の頂部が第１Ｖ溝部１２９の上面より上に突出するＶ溝深さを有しており、前記第２Ｖ溝部１３１は光ファイバ１０３の頂部が第２Ｖ溝部１３１の上面より上に突出しないＶ溝深さを有している。この第２Ｖ溝部１３１は光ファイバ１０３のガイドとなるものである。
【０００７】
また、クランプ部材１３３の底面１３５は平面形状であり、第１Ｖ溝部１２９から突出した光ファイバ１０３の頂部と直線的に接触して押さえるための把持部材であり、光ファイバ１０３との摩擦を減らすために、通常はセラミック製である。
【０００８】
【特許文献１】
特開平６−２５８５４１号公報
【０００９】
【発明が解決しようとする課題】
ところで、従来の前者の光ファイバ把持装置１０５においては、クランプ部材１１９が樹脂で形成されているために耐磨耗性が低いという問題点があった。また、クランプ部材１１９の突起部１２３が光ファイバ１０３をＶ溝部１１７の底部に導く形状ではないので、図１２（Ｂ）に示されているように光ファイバ１０３がクランプ外れを起こすという問題点があった。
【００１０】
また、従来の後者の光ファイバ把持装置１２５においては、光ファイバ１０３の頂部が突出するＶ溝深さを有する第１Ｖ溝部１２９が光ファイバ１０３の長手方向に長いため、セットしにくいという問題点があった。
【００１１】
さらに、クランプ部材１３３がセラミック製で形成されているために、高価格であると共に光ファイバ１０３の表面を傷つけるという問題点があった。
【００１２】
この発明は上述の課題を解決するためになされたもので、その目的は、光ファイバの把持機構の改良を図るもので、クランプ部材の耐摩耗性の向上を図り、クランプ外れをなくし、低価格化を図り、光ファイバの表面に傷を付けることを防止することのできる光ファイバ把持装置及び前記光ファイバ把持装置を備えた光ファイバ突合わせ装置、並びに前記光ファイバ把持装置を備えた光ファイバ融着接続装置を提供することにある。
【００１３】
【課題を解決するための手段】
上記目的を達成するために請求項１によるこの発明の光ファイバ把持装置は、光ファイバを把持台と把持体との間で把持する光ファイバ把持装置において、
前記把持台は光ファイバを載置する際に前記光ファイバの頂部を突出せしめるＶ溝深さを有するＶ溝部を備えると共に、前記把持体は前記Ｖ溝部に載置された光ファイバの頂部を押さえて把持すべく前記光ファイバの軸線方向とほぼ直交方向に延伸した一本又は複数本の突起部を備えてなることを特徴とするものである。
【００１４】
したがって、光ファイバがクランプ台のＶ溝部にセットされるとき、光ファイバをＶ溝部に押さえるための把持体の突起部が光ファイバの軸線方向とほぼ直交方向に延伸されているので、突起部と光ファイバとの接触面積が少ないため、摩擦が少なくなり、光ファイバの表面が傷付けられないように防止される。
【００１５】
請求項２によるこの発明の光ファイバ把持装置は、請求項１記載の光ファイバ把持装置において、前記把持体が樹脂製で、この把持体の突起部が円柱又は角柱をなす金属製又はセラミック製で構成してなることを特徴とするものである。
【００１６】
したがって、金属製又はセラミック製からなる円柱又は角柱の突起部は樹脂製よりも耐摩耗性に優れている。なお、金属製の突起部の場合はセラミック製の場合より光ファイバの表面を傷付けることがない。また、把持体は突起部以外の部分が樹脂製であるので低価格となる。
【００１７】
請求項３によるこの発明の光ファイバ把持装置は、光ファイバどうしを突合わせ部で突き合わせるべく前記光ファイバを把持台と把持体との間で把持する光ファイバ把持装置において、
前記把持台は、光ファイバを載置する際に前記光ファイバの頂部を突出せしめるＶ溝深さを有する第１Ｖ溝部と、前記光ファイバの頂部が突出しないＶ溝深さを有する第２Ｖ溝部と、を備えると共に、前記把持体は、前記第１Ｖ溝部に載置された光ファイバの頂部を押さえて把持すべくほぼ平面形状をなすクランプ部と、前記第２Ｖ溝部に嵌合するガイド部と、このガイド部の底面を前記光ファイバの頂部に接触しないようにした非接触部と、を備えてなることを特徴とするものである。
【００１８】
したがって、光ファイバがクランプ台の第１Ｖ溝部及び第２Ｖ溝部にセットされるとき、光ファイバが第２Ｖ溝部でガイドされるので、第１Ｖ溝部にセットし易くなる。
【００１９】
また、光ファイバが第２Ｖ溝部の途中で引っ掛かってクランプ外れが発生しても、把持体のクランプ部により光ファイバが第１Ｖ溝部の底へ導かれるので、クランプ外れが防止される。
【００２０】
また、把持体のガイド部が第２Ｖ溝部に嵌合し且つガイド部の底面に非接触部が設けられているので第２Ｖ溝部にスムーズにガイドされ、把持体の全体の荷重が第１Ｖ溝部とクランプ部の部分へ一定方向に集中するので光ファイバの直進性が良くなる。
【００２１】
請求項４によるこの発明の光ファイバ把持装置は、請求項３記載の光ファイバ把持装置において、前記把持体のクランプ部に、前記第１Ｖ溝部に載置された光ファイバの頂部を押さえて把持すべく前記光ファイバの軸線方向とほぼ直交方向に延伸した一本又は複数本の突起部を備えてなることを特徴とするものである。
【００２２】
したがって、把持体のクランプ部には光ファイバと接触する突起部が光ファイバの軸線方向とほぼ直交方向に延伸されているので、前記突起部と光ファイバとの接触面積が少ないため、摩擦が少なくなり、光ファイバの表面が傷付けられないように防止される。
【００２３】
この場合、把持体が樹脂で製作されれば、光ファイバの表面が傷付けられないように防止され、しかも低価格となる。
【００２４】
請求項５によるこの発明の光ファイバ把持装置は、請求項４記載の光ファイバ把持装置において、前記把持体が樹脂製で、この把持体の突起部が円柱又は角柱をなす金属製又はセラミック製で構成してなることを特徴とするものである。
【００２５】
したがって、金属製又はセラミック製からなる円柱又は角柱の突起部は樹脂製よりも耐摩耗性に優れている。なお、金属製の突起部の場合はセラミック製の場合より光ファイバの表面を傷付けることがない。また、把持体は突起部以外の部分が樹脂製であるので低価格となる。
【００２６】
請求項６によるこの発明の光ファイバ突合わせ装置は、光ファイバどうしを突合わせ部で突き合わせるべく前記各光ファイバを把持台と把持体との間で把持する光ファイバ把持装置を前記突合わせ部の左右に備えた光ファイバ突合わせ装置において、
前記把持台は光ファイバを載置する際に前記光ファイバの頂部を突出せしめるＶ溝深さを有するＶ溝部を備えると共に、前記把持体は前記Ｖ溝部に載置された光ファイバの頂部を押さえて把持すべく前記光ファイバの軸線方向とほぼ直交方向に延伸した一本又は複数本の突起部を備えてなることを特徴とするものである。
【００２７】
したがって、光ファイバがクランプ台のＶ溝部にセットされるとき、光ファイバをＶ溝部に押さえるための把持体の突起部が光ファイバの軸線方向とほぼ直交方向に延伸されているので、突起部と光ファイバとの接触面積が少ないため、摩擦が少なくなり、光ファイバの表面が傷付けられないように防止される。
【００２８】
請求項７によるこの発明の光ファイバ突合わせ装置は、請求項６記載の光ファイバ突合わせ装置において、前記把持体が樹脂製で、この把持体の突起部が円柱又は角柱をなす金属製又はセラミック製で構成してなることを特徴とするものである。
【００２９】
したがって、金属製又はセラミック製からなる円柱又は角柱の突起部は樹脂製よりも耐摩耗性に優れている。なお、金属製の突起部の場合はセラミック製の場合より光ファイバの表面を傷付けることがない。また、把持体は突起部以外の部分が樹脂製であるので低価格となる。
【００３０】
請求項８によるこの発明の光ファイバ突合わせ装置は、光ファイバどうしを突合わせ部で突き合わせるべく前記各光ファイバを把持台と把持体との間で把持する光ファイバ把持装置を前記突合わせ部の左右に備えた光ファイバ突合わせ装置において、
前記把持台は、光ファイバを載置する際に前記光ファイバの頂部を突出せしめるＶ溝深さを有する第１Ｖ溝部と、前記光ファイバの頂部が突出しないＶ溝深さを有する第２Ｖ溝部と、を備えると共に、前記把持体は、前記第１Ｖ溝部に載置された光ファイバの頂部を押さえて把持すべくほぼ平面形状をなすクランプ部と、前記第２Ｖ溝部に嵌合するガイド部と、このガイド部の底面を前記光ファイバの頂部に接触しないようにした非接触部と、を備えてなることを特徴とするものである。
【００３１】
したがって、光ファイバがクランプ台の第１Ｖ溝部及び第２Ｖ溝部にセットされるとき、光ファイバが第２Ｖ溝部でガイドされるので、第１Ｖ溝部にセットし易くなる。
【００３２】
また、光ファイバが第２Ｖ溝部の途中で引っ掛かってクランプ外れが発生しても、把持体のクランプ部により光ファイバが第１Ｖ溝部の底へ導かれるので、クランプ外れが防止される。
【００３３】
また、把持体のガイド部が第２Ｖ溝部に嵌合し且つガイド部の底面に非接触部が設けられているので第２Ｖ溝部にスムーズにガイドされ、把持体の全体の荷重が第１Ｖ溝部とクランプ部の部分へ一定方向に集中するので光ファイバの直進性が良くなる。
【００３４】
請求項９によるこの発明の光ファイバ突合わせ装置は、請求項８記載の光ファイバ突合わせ装置において、前記把持体のクランプ部に、前記第１Ｖ溝部に載置された光ファイバの頂部を押さえて把持すべく前記光ファイバの軸線方向とほぼ直交方向に延伸した一本又は複数本の突起部を備えてなることを特徴とするものである。
【００３５】
したがって、把持体のクランプ部には光ファイバと接触する突起部が光ファイバの軸線方向とほぼ直交方向に延伸されているので、前記突起部と光ファイバとの接触面積が少ないため、摩擦が少なくなり、光ファイバの表面が傷付けられないように防止される。
【００３６】
この場合、把持体が樹脂で製作されれば、光ファイバの表面が傷付けられないように防止され、しかも低価格となる。
【００３７】
請求項１０によるこの発明の光ファイバ突合わせ装置は、請求項９記載の光ファイバ突合わせ装置において、前記把持体が樹脂製で、この把持体の突起部が円柱又は角柱をなす金属製又はセラミック製で構成してなることを特徴とするものである。
【００３８】
したがって、金属製又はセラミック製からなる円柱又は角柱の突起部は樹脂製よりも耐摩耗性に優れている。なお、金属製の突起部の場合はセラミック製の場合より光ファイバの表面を傷付けることがない。また、把持体は突起部以外の部分が樹脂製であるので低価格となる。
【００３９】
請求項１１によるこの発明の光ファイバ融着接続装置は、光ファイバどうしを突合わせ部で突き合わせるべく前記各光ファイバを把持台と把持体との間で把持する光ファイバ把持装置を前記突合わせ部の左右に備え、前記突合わせ部の光ファイバどうしを融着接続する光ファイバ融着接続装置において、
前記把持台は光ファイバを載置する際に前記光ファイバの頂部を突出せしめるＶ溝深さを有するＶ溝部を備えると共に、前記把持体は前記Ｖ溝部に載置された光ファイバの頂部を押さえて把持すべく前記光ファイバの軸線方向とほぼ直交方向に延伸した一本又は複数本の突起部を備えてなることを特徴とするものである。
【００４０】
したがって、光ファイバがクランプ台のＶ溝部にセットされるとき、光ファイバをＶ溝部に押さえるための把持体の突起部が光ファイバの軸線方向とほぼ直交方向に延伸されているので、突起部と光ファイバとの接触面積が少ないため、摩擦が少なくなり、光ファイバの表面が傷付けられないように防止される。
【００４１】
請求項１２によるこの発明の光ファイバ融着接続装置は、請求項１１記載の光ファイバ融着接続装置において、前記把持体が樹脂製で、この把持体の突起部が円柱又は角柱をなす金属製又はセラミック製で構成してなることを特徴とするものである。
【００４２】
したがって、金属製又はセラミック製からなる円柱又は角柱の突起部は樹脂製よりも耐摩耗性に優れている。なお、金属製の突起部の場合はセラミック製の場合より光ファイバの表面を傷付けることがない。また、把持体は突起部以外の部分が樹脂製であるので低価格となる。
【００４３】
請求項１３によるこの発明の光ファイバ融着接続装置は、光ファイバどうしを突合わせ部で突き合わせるべく前記光ファイバを把持台と把持体との間で把持する光ファイバ把持装置において、
前記把持台は、光ファイバを載置する際に前記光ファイバの頂部を突出せしめるＶ溝深さを有する第１Ｖ溝部と、前記光ファイバの頂部が突出しないＶ溝深さを有する第２Ｖ溝部と、を備えると共に、前記把持体は、前記第１Ｖ溝部に載置された光ファイバの頂部を押さえて把持すべくほぼ平面形状をなすクランプ部と、前記第２Ｖ溝部に嵌合するガイド部と、このガイド部の底面を前記光ファイバの頂部に接触しないようにした非接触部と、を備えてなることを特徴とするものである。
【００４４】
したがって、光ファイバがクランプ台の第１Ｖ溝部及び第２Ｖ溝部にセットされるとき、光ファイバが第２Ｖ溝部でガイドされるので、第１Ｖ溝部にセットし易くなる。
【００４５】
また、光ファイバが第２Ｖ溝部の途中で引っ掛かってクランプ外れが発生しても、把持体のクランプ部により光ファイバが第１Ｖ溝部の底へ導かれるので、クランプ外れが防止される。
【００４６】
また、把持体のガイド部が第２Ｖ溝部に嵌合し且つガイド部の底面に非接触部が設けられているので第２Ｖ溝部にスムーズにガイドされ、把持体の全体の荷重が第１Ｖ溝部とクランプ部の部分へ一定方向に集中するので光ファイバの直進性が良くなる。
【００４７】
請求項１４によるこの発明の光ファイバ融着接続装置は、請求項１３記載の光ファイバ融着接続装置において、前記把持体のクランプ部に、前記第１Ｖ溝部に載置された光ファイバの頂部を押さえて把持すべく前記光ファイバの軸線方向とほぼ直交方向に延伸した一本又は複数本の突起部を備えてなることを特徴とするものである。
【００４８】
したがって、把持体のクランプ部には光ファイバと接触する突起部が光ファイバの軸線方向とほぼ直交方向に延伸されているので、前記突起部と光ファイバとの接触面積が少ないため、摩擦が少なくなり、光ファイバの表面が傷付けられないように防止される。
【００４９】
この場合、把持体が樹脂で製作されれば、光ファイバの表面が傷付けられないように防止され、しかも低価格となる。
【００５０】
請求項１５によるこの発明の光ファイバ融着接続装置は、請求項１４記載の光ファイバ融着接続装置において、前記把持体が樹脂製で、この把持体の突起部が円柱又は角柱をなす金属製又はセラミック製で構成してなることを特徴とするものである。
【００５１】
したがって、金属製又はセラミック製からなる円柱又は角柱の突起部は樹脂製よりも耐摩耗性に優れている。なお、金属製の突起部の場合はセラミック製の場合より光ファイバの表面を傷付けることがない。また、把持体は突起部以外の部分が樹脂製であるので低価格となる。
【００５２】
【発明の実施の形態】
以下、この発明の実施の形態について図面を参照して説明する。
【００５３】
図８及び図９を参照するに、この実施の形態に係る光ファイバ融着接続装置１は、一対の光ファイバ３の光軸を突合わせ部５で一致させると共にこの光軸を一致させた光ファイバ３の端面どうしを突き合わせ、突き合わされた端面どうしを放電熱によって溶融させて接続する装置である。略直方体状の装置本体７の上面には、上記の一対の光ファイバ３または光ファイバ３の被覆部を把持固定する機構としての光ファイバ把持装置９が突合わせ部５に対して作業者側から視て左右両側に備えられており、突合わせ部５の光ファイバ３の軸線方向に対して直交方向の前後に上記の光ファイバ３どうしを融着接続するための融着接続機構１１としての例えば放電電極１３が備えられている。
【００５４】
また、図８及び図９では、表示モニタ（図示省略）が本体装置の背面側にあり、作業者が表示モニタによって放電電極棒１３による融着接続の状況を監視しながら必要な操作を行えるように構成されている。さらに、装置本体７の上面には、融着接続される光ファイバ３の端部を覆って、この端部を風等から守るための風防カバー１５が設けられており、この風防カバー１５は奥に開くように構成されている。これは、光ファイバ３が装置本体７の前側から来るときに用いられるタイプの光ファイバ融着接続装置１として図示されている。
【００５５】
次に、この発明の実施の形態の主要部を構成する光ファイバ把持装置９について図面を参照して説明する。なお、左右の光ファイバ把持装置９は左右対称にして同一構造である。
【００５６】
図１を参照するに、この第１の実施の形態の光ファイバ把持装置１７（図８の光ファイバ把持装置９に該当）としては、装置本体７に固定される把持台としての例えばクランプ台１９と、このクランプ台１９に光ファイバ３を挟んでクランプするための把持体としての例えばクランプ部材２１と、から構成されている。
【００５７】
上記のクランプ台１９の上面には光ファイバ３をその軸線方向が左右方向に向けて載置され位置決めするための第１Ｖ溝部２３と第２Ｖ溝部２５が設けられている。前記第１Ｖ溝部２３は光ファイバ３の頂部が第１Ｖ溝部２３の上面より上に突出するＶ溝深さを有しており、前記第２Ｖ溝部２５は光ファイバ３の頂部が第２Ｖ溝部２５の上面より上に突出しないＶ溝深さを有している。この第２Ｖ溝部２５は光ファイバ３のガイドとなるものである。
【００５８】
また、クランプ部材２１は底面が平面形状で、この底面には前記光ファイバ３の軸線方向とほぼ直交する方向に延伸された突起部２７が設けられている。この突起部２７が第１Ｖ溝部２３から突出した光ファイバ３の頂部に接触して前記光ファイバ３が第１Ｖ溝部２３内に押さえられる。
【００５９】
なお、上記の突起部２７は、クランプ部材２１の底面に上述したように１本であっても、複数本であっても構わない。
【００６０】
上記構成により、光ファイバ３がクランプ台１９の第１Ｖ溝部２３及び第２Ｖ溝部２５にセットされるとき、第１Ｖ溝部２３が光ファイバ３の長手方向に短く、第２Ｖ溝部２５が長手方向に長いために、光ファイバ３が第２Ｖ溝部２５でガイドされるので、光ファイバ３を第１Ｖ溝部２３にセットし易いものである。
【００６１】
また、光ファイバ３が第２Ｖ溝部２５の途中で引っ掛かってクランプ外れが発生しても、クランプ部材２１の突起部２７が必ず光ファイバ３を第１Ｖ溝部２３の底へ導くので、クランプ外れが防止される。
【００６２】
また、光ファイバ３と接触する突起部２７が光ファイバ３の軸線方向とほぼ直交方向に延伸されているので、図２に示されているように突起部２７と光ファイバ３との接触面積が少ないため、摩擦が少なくなり、光ファイバ３の表面が傷付けられないように防止される。
【００６３】
また、クランプ部材２１をセラミックで製作すれば、突起部２７の先端が摩耗することはない。
【００６４】
なお、上記のクランプ部材２１は多心テープ光ファイバの把持機構に使用可能となる。この場合は、上記の第１Ｖ溝部２３及び第２Ｖ溝部２５に該当する部分の断面形状が例えば台形状溝部に変更される必要がある。
【００６５】
また、前述したクランプ部材２１は突起部２７が一体成形であるが、図３（Ａ）に示されているように円柱形状の金属製もしくはセラミック製からなる突起部２９がクランプ部材２１に挿着されても構わない。この場合、クランプ部材２１は前記突起部２９以外の部分が樹脂製であることが望ましい。
【００６６】
また、図３（Ｂ）に示されているように角柱形状の金属製もしくはセラミック製からなる突起部３１がクランプ部材２１に挿着されても構わない。この場合、クランプ部材２１は前記突起部３１以外の部分が樹脂製であることが望ましい。
【００６７】
なお、上記の突起部２９及び突起部３１は、クランプ部材２１の底面に上述したように１本であっても、複数本が設けられても構わない。
【００６８】
上記構成により、金属製又はセラミック製からなる円柱形状の突起部２９及び角柱形状の突起部３１は樹脂製よりも耐摩耗性に優れている。また、金属製の円柱形状の突起部２９及び角柱形状の突起部３１の場合はセラミック製の場合より光ファイバ３の表面を傷付けることがない。さらに、クランプ部材２１は突起部２９及び突起部３１以外の部分が樹脂製であるので低価格である。
【００６９】
次に、この発明の第２の実施の形態の光ファイバ把持装置３３（図８の光ファイバ把持装置９に該当）について図面を参照して説明する。なお、第１の実施の形態の光ファイバ把持装置１７と同様の部材には同符号を付して説明する。
【００７０】
図４（Ａ）を参照するに、第２の実施の形態の光ファイバ把持装置３３は、装置本体７に固定される把持台としての例えばクランプ台３５と、このクランプ台３５に光ファイバ３を挟んでクランプするための把持体としての例えばクランプ部材３７と、から構成されている。
【００７１】
上記のクランプ台３５は、第１の実施の形態のクランプ台１９と同様であるので詳しい説明は省略する。
【００７２】
また、クランプ部材３７は、前記第１Ｖ溝部２３に載置された光ファイバ３の頂部を押さえて把持すべく底面３９がほぼ平面形状をなすクランプ部４１と、前記第２Ｖ溝部２５に嵌合する傾斜面４３を備えたガイド部４５と、このガイド部４５の底面を前記光ファイバ３の頂部に接触しないようにした非接触部４７と、が備えられている。
【００７３】
図４（Ｂ）を参照するに、把持体の他の実施の形態のクランプ部材４９としてはクランプ部４１の底面３９に、第１Ｖ溝部２３から突出した光ファイバ３の頂部に部分的に接触して押さえるべく前記光ファイバ３の軸線方向とほぼ直交する方向に延伸された突起部５１が設けられている。この突起部５１が第１Ｖ溝部２３から突出した光ファイバ３の頂部に接触して前記光ファイバ３が第１Ｖ溝部２３内に押さえられる。
【００７４】
なお、上記のクランプ部材４９の突起部５１は、クランプ部４１の底面３９に上述したように１本であっても、複数本が設けられても構わない。
【００７５】
上記構成により、光ファイバ３がクランプ台３５の第１Ｖ溝部２３及び第２Ｖ溝部２５にセットされるとき、第１Ｖ溝部２３が光ファイバ３の長手方向に短く、第２Ｖ溝部２５が長手方向に長いために、光ファイバ３が第２Ｖ溝部２５でガイドされるので、光ファイバ３を第１Ｖ溝部２３にセットし易いものである。
【００７６】
また、光ファイバ３が第２Ｖ溝部２５の途中で引っ掛かってクランプ外れが発生しても、クランプ部材３７のクランプ部４１の底面３９もしくはクランプ部材４９のクランプ部４１の突起部５１が必ず光ファイバ３を第１Ｖ溝部２３の底へ導くので、クランプ外れが防止される。
【００７７】
また、クランプ部材３７もしくはクランプ部材４９の各ガイド部４５の傾斜面４３が第２Ｖ溝部２５に嵌合し、しかもガイド部４５の底面に非接触部４７が設けられているので第２Ｖ溝部２５にスムーズにガイドされる。その結果、クランプ部材３７もしくはクランプ部材４９の全体の荷重が第１Ｖ溝部２３とクランプ部４１の部分へ一定方向に集中させることができるので光ファイバ３の直進性が良い。
【００７８】
また、クランプ部材４９では、光ファイバ３と接触する突起部５１が光ファイバ３の軸線方向とほぼ直交方向に延伸されているので、図５に示されているように突起部５１と光ファイバ３との接触面積が少ないため、摩擦が少なくなり、光ファイバ３の表面が傷付けられないように防止される。
【００７９】
また、クランプ部材３７及びクランプ部材４９を樹脂で製作すれば、光ファイバ３の表面が傷付けられないように防止され、しかも低価格となる。
【００８０】
次に、この発明の第３の実施の形態の光ファイバ把持装置５３について図面を参照して説明する。なお、第２の実施の形態の光ファイバ把持装置３３とほぼ同様であるので、同じ部材には同符号を付して説明する。
【００８１】
図６を参照するに、第３の実施の形態の光ファイバ把持装置５３（図８の光ファイバ把持装置９に該当）は、装置本体７に固定される把持台としての例えばクランプ台５５と、このクランプ台５５に光ファイバ３を挟んでクランプするための把持体としての例えばクランプ部材５７と、から構成されている。
【００８２】
上記のクランプ台５５は、前述した第２の実施の形態のクランプ台３５と同様であるので詳しい説明は省略する。
【００８３】
また、クランプ部材５７は前述した第２の実施の形態のクランプ部材４９とほぼ同様であり、異なる点としてはクランプ部材４９の突起部５１がクランプ部４１と一体成形であるが、クランプ部材５７は突起部５９が円柱形状の金属製もしくはセラミック製からなり、前記突起部５９以外の部分は樹脂製からなり、前記突起部５９がクランプ部４１の底面３９に、第１Ｖ溝部２３から突出した光ファイバ３の頂部に部分的に接触して押さえるべく前記光ファイバ３の軸線方向とほぼ直交する方向に延伸された状態で設けられている。上記の突起部５９が第１Ｖ溝部２３から突出した光ファイバ３の頂部に接触して前記光ファイバ３が第１Ｖ溝部２３内に押さえられる。
【００８４】
なお、上記のクランプ部材５７の突起部５９は、クランプ部４１の底面３９に上述したように１本であっても、複数本が設けられても構わない。
【００８５】
この第３の実施の形態の光ファイバ把持装置５３の作用は、前述した第２の実施の形態の光ファイバ把持装置３３のクランプ台３５とクランプ部材４９との組み合わせの場合とほぼ同様である。しかし、異なる点は、金属製又はセラミック製の円柱形状の突起部５９は樹脂製よりも耐摩耗性に優れている。また、金属製の円柱形状の突起部５９の場合はセラミック製の場合より光ファイバ３の表面を傷付けることがない。さらに、クランプ部材５７は突起部５９以外の部分が樹脂製であるので低価格である。
【００８６】
次に、この発明の第４の実施の形態の光ファイバ把持装置６１について図面を参照して説明する。なお、第３の実施の形態の光ファイバ把持装置５３と同様の部材には同符号を付して説明する。
【００８７】
図７を参照するに、第４の実施の形態の光ファイバ把持装置６１（図８の光ファイバ把持装置９に該当）は、装置本体７に固定される把持台としての例えばクランプ台６３と、このクランプ台６３に光ファイバ３を挟んでクランプするための把持体としての例えばクランプ部材６５と、から構成されている。
【００８８】
上記のクランプ台６３は、前述した第３の実施の形態のクランプ台５５と同様であるので詳しい説明は省略する。
【００８９】
また、クランプ部材６５は前述した第３の実施の形態のクランプ部材５７とほぼ同様であり、異なる点としてはクランプ部材５７の突起部５９が円柱形状の金属製もしくはセラミック製で構成されているが、クランプ部材６５の突起部６７が角柱形状の金属製もしくはセラミック製で構成されていることである。
【００９０】
前述した第３の実施の形態のクランプ台５５と同様に、クランプ部材６５は前記突起部６７以外の部分は樹脂製でなり、２本の突起部６７がクランプ部４１の底面３９に、第１Ｖ溝部２３から突出した光ファイバ３の頂部に部分的に接触して押さえるべく前記光ファイバ３の軸線方向とほぼ直交する方向に延伸された状態で設けられている。上記の突起部６７が第１Ｖ溝部２３から突出した光ファイバ３の頂部に接触して前記光ファイバ３が第１Ｖ溝部２３内に押さえられる。
【００９１】
なお、上記のクランプ部材６５の突起部６７は、クランプ部４１の底面３９に１本であっても、上述したように複数本が設けられても構わない。
【００９２】
この第４の実施の形態の光ファイバ把持装置６１の作用は、前述した第３の実施の形態の光ファイバ把持装置５３とほぼ同様であるので、詳しい説明は省略する。
【００９３】
次に、この発明の実施の形態の光ファイバ突合わせ装置６９について図面を参照して説明する。なお、前述した光ファイバ融着接続装置１と同様の部材には同符号を付して説明する。
【００９４】
図１０を参照するに、光ファイバ突合わせ装置６９（光ファイバ軸合わせ装置）にも前述した光ファイバ融着接続装置１と同様に光ファイバ３どうしを突合わせて把持する光ファイバ把持装置９が備えられている。この光ファイバ突合わせ装置６９としては単に光ファイバ３どうしの軸合わせを行うための装置であり、前述した光ファイバ融着接続装置１における放電電極１３を含む融着接続機構１１と、この融着接続機構１１を保護する風防カバー１５とが備えられていない。また、この光ファイバ突合わせ装置６９に備えた光ファイバ把持装置９は、前述した第１〜第４の実施の形態の光ファイバ把持装置１７，３３，５３，６１と同様であるので詳細な説明は省略する。
【００９５】
なお、この発明は前述した実施の形態に限定されることなく、適宜な変更を行うことによりその他の態様で実施し得るものである。
【００９６】
【発明の効果】
以上のごとき発明の実施の形態の説明から理解されるように、請求項１、請求項６及び請求項１１の発明によれば、光ファイバをクランプ台のＶ溝部にセットするとき、光ファイバをＶ溝部に押さえるための把持体の突起部が光ファイバの軸線方向とほぼ直交方向に延伸されているので、突起部と光ファイバとの接触面積が少ないため摩擦を少なくでき、光ファイバの表面に傷付けられることを防止できる。
【００９７】
請求項２、請求項７及び請求項１２の発明によれば、突起部が金属製又はセラミック製からなる円柱又は角柱とすることにより、樹脂製よりも耐摩耗性を向上できる。金属製の突起部はセラミック製の場合より光ファイバの表面を傷付けないようにできる。また、突起部以外の部分を樹脂製とすることにより低価格の把持体を提供できる。
【００９８】
請求項３、請求項８及び請求項１３の発明によれば、光ファイバをクランプ台の第１Ｖ溝部及び第２Ｖ溝部にセットするとき、光ファイバを第２Ｖ溝部でガイドできるので、第１Ｖ溝部にセットし易くできる。
【００９９】
また、光ファイバが第２Ｖ溝部の途中で引っ掛かってクランプ外れが発生しても、把持体のクランプ部により光ファイバを第１Ｖ溝部の底へ導くことができるので、クランプ外れを防止できる。
【０１００】
また、把持体のガイド部が第２Ｖ溝部に嵌合し且つガイド部の底面に非接触部を設けたので第２Ｖ溝部によりスムーズにガイドでき、把持体の全体の荷重を第１Ｖ溝部とクランプ部の部分へ一定方向に集中できるので光ファイバの直進性を良くできる。
【０１０１】
請求項４、請求項９及び請求項１４の発明によれば、把持体のクランプ部に設けた突起部を、光ファイバの軸線方向とほぼ直交方向に延伸したので、突起部と光ファイバとの接触面積が少ないため摩擦を少なくでき、光ファイバの表面に傷付けられることを防止できる。
【０１０２】
この場合、把持体を樹脂で製作することにより、光ファイバの表面に傷付けられることを防止でき、しかも低価格にできる。
【０１０３】
請求項５、請求項１０及び請求項１５の発明によれば、突起部が金属製又はセラミック製からなる円柱又は角柱とすることにより、樹脂製よりも耐摩耗性を向上できる。金属製の突起部はセラミック製の場合より光ファイバの表面を傷付けないようにできる。また、突起部以外の部分を樹脂製とすることにより低価格の把持体を提供できる。
【図面の簡単な説明】
【図１】この発明の第１の実施の形態の光ファイバ把持装置を示す斜視図である。
【図２】図１の右側面図である。
【図３】（Ａ），（Ｂ）は、第１の実施の形態の光ファイバ把持装置の他の例を示す側面図である。
【図４】（Ａ）は、この発明の第２の実施の形態の光ファイバ把持装置を示す斜視図で、（Ｂ）はクランプ部材の他の例を示す斜視図である。
【図５】図４の右側面図である。
【図６】この発明の第３の実施の形態の光ファイバ把持装置を示す斜視図である。
【図７】この発明の第４の実施の形態の光ファイバ把持装置を示す側面図である。
【図８】この発明の実施の形態の光ファイバ融着接続装置で、風防カバーを開いた状態の平面図である。
【図９】この発明の実施の形態の光ファイバ融着接続装置で、風防カバーを閉じた状態の平面図である。
【図１０】この発明の実施の形態の光ファイバ突合わせ装置の平面図である。
【図１１】従来の光ファイバ融着接続装置で、風防カバーを開いた状態の平面図である。
【図１２】（Ａ）は従来の光ファイバ把持装置の斜視図で、（Ｂ）は光ファイバがクランプ外れを起こす状態説明図である。
【図１３】従来の他の光ファイバ把持装置の斜視図である。
【符号の説明】
１  光ファイバ融着接続装置
３  光ファイバ
５  突合わせ部
７  装置本体
９  光ファイバ把持装置
１１  融着接続機構
１７  光ファイバ把持装置（第１の実施の形態の）
１９  クランプ台（把持台）
２１  クランプ部材（把持体）
２３  第１Ｖ溝部
２５  第２Ｖ溝部
２７，２９，３１  突起部
３３  光ファイバ把持装置（第２の実施の形態の）
３５  クランプ台（把持台）
３７  クランプ部材（把持体）
４１  クランプ部
４５  ガイド部
４７  非接触部
４９  クランプ部材（把持体）
５１  突起部
５３  光ファイバ把持装置（第３の実施の形態の）
５５  クランプ台（把持台）
５７  クランプ部材（把持体）
５９  突起部
６１  光ファイバ把持装置（第４の実施の形態の）
６３  クランプ台（把持台）
６５  クランプ部材（把持体）
６７  突起部
６９  光ファイバ突合わせ装置
【図１】
2004279666.tif 000003
【図２】
2004279666.tif 000004
【図３】
2004279666.tif 000005
【図４】
2004279666.tif 000006
【図５】
2004279666.tif 000007
【図６】
2004279666.tif 000008
【図７】
2004279666.tif 000009
【図８】
2004279666.tif 000010
【図９】
2004279666.tif 000011
【図１０】
2004279666.tif 000012
【図１１】
2004279666.tif 000013
【図１２】
2004279666.tif 000014
【図１３】
2004279666.tif 000015